(57)【要約】【課題】  カメラの撮像映像を伝送線を介して親機に伝送する際に、画像データを伝送する伝送線の帯域を拡大することなく、高品質の映像を伝送することができるテレビインターホン装置を提供する。【解決手段】  子機１に、カメラ１０が撮像した映像信号から解像度ＶＧＡとＱＱＶＧＡの画像データを生成して出力する解像度変更部１１と、生成したＶＧＡの画像データに対して高域周波数データと低域周波数データとに分離する高域／低域フィルタ部１３と、分離した高域周波数データのフレーム間引きを行う高域データ間引き部１４、分離した低域周波数データのフレーム間引きを行う低域データ間引き部１５と、親機２へ伝送する画像データを圧縮するＪＰＥＧエンコーダ１６とを設ける一方、親機２に、ＪＰＥＧデコーダ２４と、高域周波数データと低域周波数データとを合成して画像データを生成する低域／高域データ合成部２５とを設けた。【選択図】  図１
2011176764.tif 000002
【特許請求の範囲】
【請求項１】
来訪者を撮像する為のカメラ及び居住者を呼び出す機能を備えた子機と、前記カメラの撮像映像を表示するモニタ及び前記子機からの呼び出しに応答する機能を備えた親機とを有し、双方が伝送線を介して接続されたテレビインターホン装置において、
前記子機は、前記カメラが撮像した映像信号から解像度の異なる複数の画像データを生成して出力する解像度変更部と、
変換した画像データのうち、少なくとも最大の解像度の画像データに対して高域周波数データと低域周波数データとに分離する高域／低域フィルタ部と、
分離した高域周波数データのフレーム間引きを行う高域データ間引き部、分離した低域周波数データのフレーム間引きを行う低域データ間引き部のうちの少なくとも一方の間引き部と、
前記親機へ伝送する画像データを圧縮するデータ圧縮部とを具備する一方、
前記親機は、前記伝送線を介して伝送された前記高域周波数データを保持する高域データバッファ部と、
同様に伝送された前記低域周波数データを保持する低域データバッファ部と、
前記モニタに表示させるために圧縮画像データを伸張するデータ伸張部と、
前記高域周波数データと前記低域周波数データとを合成して画像データを生成する低域／高域データ合成部とを備えたことを特徴とするテレビインターホン装置。
【請求項２】
前記解像度変更部は、ＶＧＡとＱＱＶＧＡの２つの解像度で画像データを出力し、前記広域／低域フィルタ部は、前記ＶＧＡ画像データに対して高域周波数データと低域周波数データに分離することを特徴とする請求項１記載のテレビインターホン装置。
【請求項３】
前記親機は、無線通信部を備えてワイヤレス親機と通信が可能であり、
前記子機から受信した画像データを、前記モニタに表示するデータと前記ワイヤレス親機に送信するデータとに振り分ける画像データ振り分け部を有することを特徴とする請求項１又は２記載のテレビインターホン装置。
【請求項４】
前記親機は、映像記憶部と、録画を制御する録画制御部とを有し、
前記画像データ振り分け部は前記映像記憶部に所定の画像データを振り分けることを特徴とする請求項３記載のテレビインターホン装置。
【請求項５】
カメラを備えて当該カメラが撮像した画像データを出力するカメラ装置と、伝送線を介して前記カメラ装置から伝送された画像データを基に映像を表示するモニタを備えたモニタ装置とを有する画像伝送装置であって、
前記カメラ装置は、カメラが撮像した画像データに対して周波数分解して高域周波数データと低域周波数データとに分離する高域／低域フィルタ部と、
分離した高域周波数データのフレーム間引きを行う高域データ間引き部、分離した低域周波数データのフレーム間引きを行う低域データ間引き部のうちの少なくとも一方の間引き部と、
前記モニタ装置へ伝送する画像データを圧縮するデータ圧縮部とを具備する一方、
前記モニタ装置は、前記伝送線を介して伝送された高域及び低域の周波数データを保持する高域データバッファ部、及び低域データバッファ部と、
圧縮画像データを伸張するデータ伸張部と、
前記高域周波数データと前記低域周波数データとを合成して前記モニタに表示する画像データを生成する低域／高域データ合成部と、を備えたことを特徴とする画像伝送装置。
【発明の詳細な説明】
【技術分野】
【０００１】
本発明は、来訪者を映像で確認できるテレビインターホン装置、及びカメラが撮像した画像データを伝送線を介してモニタ装置に伝送する画像伝送装置に関する。
【背景技術】
【０００２】
従来より、玄関に設置した呼出機能を備えた子機にカメラを組み込んで来訪者を撮像し、その映像を住戸内に設置された応答機能を備えた親機のモニタに表示させて、居住者が来訪者をモニタで確認しながら通話できるテレビインターホン装置や、住戸外等にカメラを設置して不審者を監視する監視装置等の画像伝送装置がある。
このような画像伝送装置において、特にテレビインターホン装置は子機と親機とを接続した伝送線の帯域が小さくデータ伝送容量に制限があるため、鮮明な映像を伝送する、即ち解像度の高い画像データを送信するには、データ圧縮を行ってデータ量を削減して送信する等の工夫がなされた。
例えば、特許文献１では、子機のカメラが撮像した映像信号を、ＪＰＥＧを用いてデータ圧縮して親機に送信し、台所リモコン（親機）において圧縮されたデータを伸張してモニタに表示させた。
【先行技術文献】
【特許文献】
【０００３】
【特許文献１】特開２００５−１９７７９０号公報
【発明の概要】
【発明が解決しようとする課題】
【０００４】
上記特許文献１に開示されているように、画像データを圧縮して送信することで、画質を落とすことなく伝送するデータ量を少なくでき、従来より鮮明な映像を伝送することができた。
しかしながら、更に高解像度の画像データを伝送するにはフレームレートを削減しなければならなかったし、複数種類の映像データを同時に伝送したい場合はフレームレートの削減に加えてエンコーダの圧縮率を上げなければならなかった。その結果、画像の画質を向上させることができたとしても、動画としてみた場合、親機に伝送された映像は動きが滑らかでなかったり、折角の高解像映像が粗い画素で表示されることになった。
【０００５】
そこで、本発明はこのような問題点に鑑み、カメラの撮像映像を伝送線を介して親機等のモニタ装置に伝送する際に、画像データを伝送する伝送線の帯域を拡大することなく、高品質の映像を伝送することができるテレビインターホン装置及び画像伝送装置を提供することを目的としている。
【課題を解決するための手段】
【０００６】
上記課題を解決する為に、請求項１の発明は、来訪者を撮像する為のカメラ及び居住者を呼び出す機能を備えた子機と、カメラの撮像映像を表示するモニタ及び子機からの呼び出しに応答する機能を備えた親機とを有し、双方が伝送線を介して接続されたテレビインターホン装置において、子機は、カメラが撮像した映像信号から解像度の異なる複数の画像データを生成して出力する解像度変更部と、変換した画像データのうち、少なくとも最大の解像度の画像データに対して高域周波数データと低域周波数データとに分離する高域／低域フィルタ部と、分離した高域周波数データのフレーム間引きを行う高域データ間引き部、分離した低域周波数データのフレーム間引きを行う低域データ間引き部のうちの少なくとも一方の間引き部と、親機へ伝送する画像データを圧縮するデータ圧縮部とを具備する一方、親機は、伝送線を介して伝送された高域周波数データを保持する高域データバッファ部と、同様に伝送された低域周波数データを保持する低域データバッファ部と、モニタに表示させるために圧縮画像データを伸張するデータ伸張部と、高域周波数データと低域周波数データとを合成して画像データを生成する低域／高域データ合成部とを備えたことを特徴とする。
この構成によれば、解像度の最も大きな画像データが、子機で高域周波数データと低域周波数データに分離された後フレーム間引きされ、更にデータ圧縮されて親機に送信されるので、データ量を大きく削減でき、単にデータ圧縮して伝送する構成に比べて解像度の高い画像データを伝送することができる。
そのため、伝送線の帯域が限られていても、画質を劣化させることなく複数の画像データを親機に伝送することができ、結果として滑らかな動きをする複数の動画を親機で表示させることが可能となる。
【０００７】
請求項２の発明は、請求項１に記載の構成において、解像度変更部は、ＶＧＡとＱＱＶＧＡの２つの解像度で画像データを出力し、広域／低域フィルタ部は、ＶＧＡ画像データに対して高域周波数データと低域周波数データに分離することを特徴とする。
この構成によれば、解像度ＶＧＡの画像データを周波数分解してフレーム間引きを実施することで、解像度ＶＧＡとＱＱＶＧＡの二つの画像を同時に伝送しても、解像度が高く滑らかな映像を親機のモニタに表示させることができる。
【０００８】
請求項３の発明は、請求項１又は２に記載の構成において、親機は、無線通信部を備えてワイヤレス親機と通信が可能であり、子機から受信した画像データを、モニタに表示するデータとワイヤレス親機に送信するデータとに振り分ける画像データ振り分け部を有することを特徴とする。
この構成によれば、モニタやワイヤレス親機等画像データの出力先に合わせて、画像データを自動で振り分けて出力するので、子機から受信する複数種類の画像データをその都度選択する操作が必要ない。例えば、周波数データにより伝送された画像データを親機モニタに表示させることで、常に高解像度の画像を親機で表示できる。
【０００９】
請求項４の発明は、請求項３に記載の構成において、親機は、画像データを記憶する映像記憶部と、画像データ振り分け部により振り分けられた所定の画像データを映像記憶部に記憶制御する録画制御部とを有することを特徴とする。
この構成によれば、録画する画像データは決められた所定の形式のデータとなるため、再生操作が面倒になることがない。また、例えば高域周波数データと低域周波数データに分割したデータにすれば、高画質画像データであっても記憶容量を削減できる。
【００１０】
請求項５の発明は、カメラを備えて当該カメラが撮像した画像データを出力するカメラ装置と、伝送線を介してカメラ装置から伝送された画像データを基に映像を表示するモニタを備えたモニタ装置とを有する画像伝送装置であって、カメラ装置は、カメラが撮像した画像データに対して周波数分解して高域周波数データと低域周波数データとに分離する高域／低域フィルタ部と、分離した高域周波数データのフレーム間引きを行う高域データ間引き部、分離した低域周波数データのフレーム間引きを行う低域データ間引き部のうちの少なくとも一方の間引き部と、モニタ装置へ伝送する画像データを圧縮するデータ圧縮部とを具備する一方、モニタ装置は、伝送線を介して伝送された高域及び低域の周波数データを保持する高域データバッファ部、及び低域データバッファ部と、圧縮画像データを伸張するデータ伸張部と、高域周波数データと低域周波数データとを合成してモニタに表示する画像データを生成する低域／高域データ合成部と、を備えたことを特徴とする。
この構成によれば、高域周波数データと低域周波数データに分離された画像データに対してフレーム間引きし、更にデータ圧縮してモニタ装置に送信するので、画質の劣化を最小限に止めてデータ量を大きく削減することができる。よって、伝送線の帯域量が限られていても、モニタ装置では高画質の動画を表示することが可能となる。
【発明の効果】
【００１１】
本発明のテレビインターホン装置によれば、解像度の最も大きな画像データが、子機で高域周波数データと低域周波数データに分離された後フレーム間引きされ、更にデータ圧縮されて親機に送信されるので、データ量を大きく削減でき単にデータ圧縮して伝送する構成に比べて解像度の高い画像データを伝送することができる。そのため、伝送線の帯域が限られていても、画質を劣化させることなく複数の画像データを親機に伝送することができ、結果として滑らかな動きをする複数の動画を親機で表示させることが可能となる。。
また、本発明の画像伝送装置によれば、高域周波数データと低域周波数データに分離された画像データに対してフレーム間引きし、更にデータ圧縮してモニタ装置に送信するので、画質の劣化を最小限に止めてデータ量を大きく削減することができる。よって、伝送線の帯域が限られていても、モニタ装置では高画質の動画を表示することが可能となる。
【図面の簡単な説明】
【００１２】
【図１】本発明に係るテレビインターホン装置の実施形態の一例を示す構成図であり、子機及び親機を回路ブロック図で示している。
【図２】子機から出力される画像信号のタイミング図である。
【発明を実施するための形態】
【００１３】
以下、本発明を具体化した実施の形態を、図面に基づいて詳細に説明する。図１は本発明に係るテレビインターホン装置の一例を示す構成図であり、１は玄関等に設置されて来訪者が居住者を呼び出すために操作する子機、２は室内に設置されて子機１からの呼び出しに居住者が応答するための親機、３は親機２と無線通信して子機１と通信が可能なワイヤレス親機である。子機１及び親機２は回路ブロック図で示しており、両者は伝送線Ｌ１で接続されている。
尚、子機１、親機２とも、インターホン本来の構成要素である呼出／応答に関する回路は、本発明の要部ではないため省略してある。
【００１４】
子機１は、来訪者を撮像するカメラ１０、カメラ１０が撮像した映像の解像度を所定の解像度に変更して出力する解像度変更部１１、異なる画像データを所定の順序で出力するマルチプレクサ１２、画像データをフーリエ変換して高域周波数データと低域周波数データとに分離する高域／低域フィルタ部１３、高域周波数データのフレームを間引き操作する高域データ間引き部１４、低域周波数データのフレームを間引き操作する低域データ間引き部１５、データ圧縮するＪＰＥＧエンコーダ１６、個々の画像データにヘッダーを付与するヘッダ生成部１７、親機２と通信するための子機インターフェース（以下、子機ＩＦとする）１８等を備えている。これら子機１の各回路の具体的作用は次のようである。
【００１５】
解像度変更部１１は、カメラ１０が撮像したビデオ信号等の映像信号から、第１の解像度（ここではＶＧＡ画像）の第１画像データと、この第１画像データより解像度の低い第２の解像度（ここではＱＱＶＧＡ画像）の第２画像データを生成して交互に出力する。
【００１６】
マルチプレクサ１２は、第１画像データと第２画像データとを分離して第１画像データを高域／低域フィルタ部１３に出力し、第２画像データをＪＰＥＧエンコーダ１６に出力する。
【００１７】
高域／低域フィルタ部１３は、第１画像データをフーリエ変換した後、高域周波数データと低域周波数データに分離し、高域周波数データを高域データ間引き部１４に出力し、低域周波数データを低域データ間引き部１５に出力する。
高域データ間引き部１４と、低域データ間引き部１５では、夫々入力された周波数データを予め設定された所定の割合でフレーム間引きを実施し、フレーム間引きした周波数データをＪＰＥＧエンコーダ１６に出力する。具体的に、高域周波数データのフレーム数は２分の１に削減され、低域周波数データのフレーム数は４分の１に削減されて出力される。
【００１８】
尚、フレームを間引く割合は任意に設定することが可能であるが、テレビインターホン装置の場合、撮像した画像から人物を把握することが主な目的になるため、色情報が中心となる低域周波数データに比べて、輪郭データが中心となる高域周波数データの方が重要であるため、低域周波数データを大きく削減しても人物を把握する障害になり難い。そのため、低域周波数データはデータ量を大きく削減することが可能であり、ここでは高域周波数データの削減量に比べて低域周波数データの削減量を２倍にしている。
【００１９】
ＪＰＥＧエンコーダ１６は、フレーム間引きされた高域周波数データと低域周波数データと第２画像データとをＪＰＥＧ方式でデータ圧縮処理し、画像データヘッダ生成部１７へ出力する。
画像データヘッダ生成部１７では、親機２で個々の画像データを識別可能とするために、高域周波数データ、低域周波数データ、第２画像データのそれぞれに個別のヘッダを付与して子機ＩＦ１８に出力する。子機ＩＦ１８は、伝送線Ｌ１を介して親機２に画像データを順次送信する。
【００２０】
親機２は、子機１と通信するための親機インターフェース（以下、親機ＩＦとする）２０、子機１から伝送された画像データを振り分ける画像データ振り分け部２１、高域周波数データを一時保管する高域データバッファ部２２、低域周波数データを一時保管する低域データバッファ部２３、データを伸張するＪＰＥＧデコーダ２４、高域周波数データと低域周波数データを合成して画像データを再生成する高域／低域データ合成部２５、生成された映像を表示する例えばＬＣＤから成るモニタ２６、画像データを記憶するメモリ２７、メモリ２７への録画及び画像の取り出しを制御する録画制御部２８、ワイヤレス親機３へ信号を送信するワイヤレス送信部２９、画像データのフレームレートを制御するフレームレート制御部３０等を備えている。これら親機２の各回路の具体的作用は次のようである。
【００２１】
画像データ振り分け部２１は、個々の画像データに付加されたヘッダ情報を参照して、画像データを振り分ける。具体的に、解像度の低い第２画像データはワイヤレス親機３へ伝送するデータとしてフレームレート制御部３０へ出力し、解像度の高い高域周波数データ及び低域周波数データは、モニタ２６に表示するデータとして高域データバッファ部２２及び低域データバッファ部２３へ出力する。更に、ここでは録画する画像データを第１画像データとし、高域周波数データと低域周波数データを録画制御部２８にも出力する。
【００２２】
高域データバッファ部２２と低域データバッファ部２３では、子機１で間引きされたフレームを補完するために高域周波数データと低域周波数データをそれぞれ一時保管してＪＰＥＧデコーダ２４へ出力する。
【００２３】
ＪＰＥＧデコーダ２４は、夫々のバッファ部からモニタ２６に表示するデータを順次取り出して、子機１のＪＰＥＧエンコーダ１６においてＪＰＥＧ方式で圧縮された状態にあるデータを伸張して高域／低域データ合成部２５へ出力する。
高域／低域データ合成部２５は、伸張した高域周波数データと低域周波数データを合成して第１画像データを再生成してモニタ２６に出力し、モニタ２６において第１画像データに基づいた映像を表示する。
【００２４】
録画制御部２８は、高域周波数データと低域周波数データをメモリ２７に記録する。また録画データの再生時には、メモリ２７から画像データを読み込んで高域データバッファ部２２と低域データバッファ部２３へ出力する。
【００２５】
フレームレート制御部３０では、ワイヤレス親機３において画像を表示するために第２画像データのフレームレートを制御し、例えば１秒間に３フレームの速度でワイヤレス送信部２９へ出力する。
【００２６】
尚、ワイヤレス親機３は映像を表示する表示部３ａを備え、ワイヤレス送信部２９から無線送信された第２画像データを受信して表示する。また、親機２はワイヤレス送信部２９に加えて、ワイヤレス親機３から送信された信号を受信するワイヤレス受信部（図示せず）を有し、親機２と同様に来訪者を確認しながら応答することができるよう構成されている。
【００２７】
このように構成されたテレビインターホン装置の動作は以下のようである。但し、テレビインターホン装置の基本動作である子機１からの呼び出し、親機２或いはワイヤレス親機３によるその応答動作は従来と同様であるため説明を省略し、ここでは子機１の呼出操作により起動するカメラ１０の撮像映像信号の流れを説明する。
【００２８】
カメラ１０が撮像を開始したら、その映像信号を基に解像度変更部１１において第１画像データと第２画像データが生成され、生成された第１画像データは高域／低域フィルタ部１３において、フーリエ変換されたのち高域周波数データと低域周波数データとに分離される。
周波数分離された第１画像データは、高域データ間引き部１４、及び低域データ間引き部１５においてフレームが上述した所定の割合で間引きされた後、第２画像データと共にＪＰＥＧエンコーダ１６においてデータ圧縮される。
圧縮された画像データは、画像データヘッダ生成部１７において個々にヘッダが付与され、子機ＩＦ１８から伝送線Ｌ１を介して親機２に伝送される。
【００２９】
この時、子機ＩＦ１８から親機２へは、例えば図２のタイミング図に示すフレーム順で画像データが出力される。図２において、Ｄ１，Ｄ２，・・は伝送するフレームの群を示し、第１画像データのフレームと第２画像データのフレームとが所定の順で１つの群を形成して伝送される。但し、高域周波数データのフレーム数に対して、伝送される低域周波数データのフレームは２分の１に設定されているため、低域周波数データのフレームは図２に示すように奇数の群Ｄ１，Ｄ３，・・毎に伝送される。
【００３０】
親機２へ伝送された画像データは、親機ＩＦ２０で受信され、画像データ振り分け部２１へ伝送される。画像データ振り分け部２１では、モニタ２６で表示するデータ、録画するデータ、ワイヤレス親機３に送信するデータに振り分けが行われる。具体的に、上述したように周波数分解した第１画像データは、モニタ２６表示用と録画用に振り分けられ、第２画像データはワイヤレス親機３に振り分けられる。
【００３１】
モニタ２６表示用に振り分けられた第１画像データは、バッファ部２２，２３を介してＪＰＥＧデコーダ２４でデータ伸張され、高域／低域データ合成部２５でモニタ２６で表示するビデオ信号等の映像信号に再合成される。こうして再生成された映像信号がモニタ２６に表示される。
録画用に振り分けられた第１画像データは、親機２において所定の録画操作が成されたら、録画制御部２８の制御で高域周波数データと低域周波数データに分解された状態でメモリ２７に記憶される。
【００３２】
尚、メモリ２７記憶された画像データは、所定の再生操作が成されると、録画制御部２８の制御により録画画像の再生制御が行われる。具体的に、メモリ２７から画像データが読み出され、バッファ部２２，２３を介してＪＰＥＧエンコーダ２４に伝送される。その後は、上記モニタ２６の表示制御と同様であり、データ伸張された後、映像信号が再合成されてモニタ２６に表示される。
【００３３】
一方、画像データ振り分け部２１からワイヤレス親機３向けに送られた第２画像信号は、フレームレート制御部３０においてワイヤレス親機３が受信できる所定のフレームレートに設定され、ワイヤレス送信部２９からワイヤレス親機３に送信される。
こうして、子機１からの呼び出しに対して、居住者が親機２で応答する場合は、親機２に表示された映像を見ながら応答することができるし、ワイヤレス親機３で応答する場合でも、ワイヤレス親機３に表示された映像を見ながら応答することができる。
【００３４】
このように、子機１で撮像された解像度の最も大きな画像データが、高域周波数データと低域周波数データに分離された後にフレーム間引きされ、更にデータ圧縮されて親機２に送信されるので、データ量を大きく削減でき単にデータ圧縮して伝送する構成に比べて解像度の高い画像データを伝送することができる。よって、伝送線Ｌ１の帯域が限られていても、画質を劣化させることなく滑らかな動きをする２種類の画像を親機２に伝送することができ、結果として滑らかな動きをする複数の動画を親機で表示させることが可能となる。
また、解像度ＶＧＡの画像データを周波数分解してフレーム間引きを実施することで、解像度ＶＧＡとＱＱＶＧＡの二つの画像を同時に伝送しても、解像度が高く滑らかな映像を親機２のモニタ２６に表示させることができる。
更に、モニタ２６やワイヤレス親機３等画像データの出力先に合わせて、画像データを自動で振り分けるので、子機１から受信する複数種類の画像データをその都度選択する操作が必要ないし、録画する画像データは決められた所定の形式のデータとなるため、再生操作が面倒になることがない。
また、録画する際に高域周波数データと低域周波数データに分割したデータを記憶することで、高画質画像データであっても記憶容量を削減できる。
【００３５】
尚、上記実施形態では、解像度ＶＧＡとＱＱＶＧＡの２種類の画像データを生成してデータ加工を実施しているが、解像度変更部１１が生成する解像度はこの解像度で限定するものではなく、例えばＶＧＡとＱＶＧＡとＱＱＶＧＡであっても良いし、ＳＶＧＡと組み合わせても良い。
また、解像度ＶＧＡとＱＱＶＧＡの２種類の画像データを子機１で生成し、データの大きいＶＧＡデータのみ周波数分解、フレーム間引きを実施しているが、ＱＱＶＧＡデータに対して周波数分解及びフレーム間引きを実施しても良い。
更に、高域周波数データ、低域周波数データの双方に対してフレーム間引きを実施しているが、低域周波数データのみ実施してもよい。上述したようにインターホン装置の場合、撮像した画像から人物を把握することが主な目的になるため、人物認証の為の情報が少ない色情報が中心となる低域周波数データは、大きく削減しても人物を把握する障害になることが少ない。よって、低域周波数データはデータ量を大きく削減することができる。
【産業上の利用可能性】
【００３６】
上記実施形態は、テレビインターホン装置における画像データ伝送形態を説明したが、上記テレビインターホン装置は本発明の画像伝送装置の一例であり、本発明はインターホンに限定するものでなく、例えば監視カメラ等のカメラ装置と、そのカメラが撮像した映像を表示するモニタを備えた監視モニタ等のモニタ装置とを備えて、双方が伝送線で接続された画像伝送装置に対しても適用できる。この場合、図１に示す子機１の構成をカメラ装置に適用し、親機２の構成をモニタ装置に適用すれば良く、カメラ装置から周波数分離した画像データを伝送して、モニタ装置においてこの画像データをモニタに表示させることで、伝送線の帯域を拡張することなく高解像映像をモニタ装置で見ることができるし、効率良く録画することが可能となる。
【００３７】
また、監視カメラの場合、通常１種類の画像データの伝送で十分であるため、上記技術を適用することで高解像度の映像をモニタ装置に表示させることが可能となる。そして、、複数種類の画像データをカメラ装置から伝送すれば、モニタ装置に解像度変更部を設けることなく例えば携帯端末から監視映像を見ることができる。
【符号の説明】
【００３８】
１・・子機（カメラ装置）、２・・親機（モニタ装置）、３・・ワイヤレス親機、１０・・カメラ、１１・・解像度変更部、１２・・マルチプレクサ、１３・・高域／低域フィルタ部、１４・・高域データ間引き部、１５・・低域データ間引き部、１６・・ＪＰＥＧエンコーダ（データ圧縮部）、１７・・画像データヘッダ生成部、２１・・画像データ振り分け部、２２・・高域データバッファ部、２３・・低域データバッファ部、２４・・ＪＰＥＧデコーダ（データ伸張部）、２５・・高域／低域データ合成部、２６・・モニタ、２７・・メモリ（映像記憶部）、２８・・録画制御部、２９・・ワイヤレス送信部（無線通信部）、３０・・クレームレート制御部、Ｌ１・・伝送線。
【図１】
2011176764.tif 000003
【図２】
2011176764.tif 000004